(57)【要約】 【課題】消費電力を低減可能な情報処理装置、プログラムおよび画像形成システムを提供する。【解決手段】本発明の情報処理装置は、第１取得部と特定部と制御部とを備える。第１取得部は、ユーザが携帯する通信端末の位置を示す第１位置情報を取得する。特定部は、第１位置情報と、記録媒体上に画像を形成する画像形成部を有する画像形成装置の位置を示す第２位置情報とから、１以上の画像形成装置のうち、ユーザが近づいている画像形成装置を特定する。制御部は、特定部により特定された画像形成装置に対して、画像形成部が動作可能な状態を示す通常モードに比べて画像形成部に供給される電力が小さい状態を示す省エネモードから、通常モードに復帰させる制御を行う。【選択図】図３
2014067218.tif 000002
【特許請求の範囲】
【請求項１】
ユーザが携帯する通信端末の位置を示す第１位置情報を取得する第１取得部と、
前記第１位置情報と、記録媒体上に画像を形成する画像形成部を有する画像形成装置の位置を示す第２位置情報とから、１以上の前記画像形成装置のうち、前記ユーザが近づいている前記画像形成装置を特定する特定部と、
前記特定部により特定された前記画像形成装置に対して、前記画像形成部が動作可能な状態を示す通常モードに比べて前記画像形成部に供給される電力が小さい状態を示す省エネモードから、前記通常モードに復帰させる制御を行う制御部と、を備える、
情報処理装置。
【請求項２】
前記特定部は、前記第１位置情報が示す位置と、前記第２位置情報が示す位置との間の距離が閾値以下となる前記画像形成装置を、前記ユーザが近づいている前記画像形成装置として特定する、
請求項１の情報処理装置。
【請求項３】
前記制御部は、前記特定部により特定された前記画像形成装置が複数存在する場合は、前記特定部により特定された全ての前記画像形成装置に対して、前記通常モードに復帰させる制御を行う、
請求項１または２の情報処理装置。
【請求項４】
前記特定部は、前記省エネモードから復帰済みの前記画像形成装置を、前記ユーザが近づいている前記画像形成装置として特定することはしない、
請求項１乃至３のうちの何れかの情報処理装置。
【請求項５】
印刷の設定内容を示す設定情報を前記通信端末から取得する第２取得部をさらに備え、
前記制御部は、前記特定部により特定された前記画像形成装置に対して、前記設定情報に従った設定を行なわせる、
請求項１の情報処理装置。
【請求項６】
前記ユーザを識別する第１識別情報と、印刷データとを含む印刷要求を取得する第３取得部と、
前記通信端末に保持されている、前記ユーザを識別する第２識別情報を、前記画像形成装置から取得する第４取得部と、
前記第１識別情報により識別される前記ユーザと、前記第２識別情報により識別される前記ユーザとが一致すると判断した場合、前記第２識別情報を取得した前記画像形成装置に対して、前記印刷要求に含まれる前記印刷データに基づく印刷の実行を指示する指示部と、を備える、
請求項１の情報処理装置。
【請求項７】
ユーザが携帯する通信端末の位置を示す第１位置情報を取得する取得ステップと、
前記第１位置情報と、記録媒体上に画像を形成する画像形成部を有する画像形成装置の位置を示す第２位置情報とから、１以上の前記画像形成装置のうち、前記ユーザが近づいている前記画像形成装置を特定する特定ステップと、
前記特定ステップにより特定された前記画像形成装置に対して、前記画像形成部が動作可能な状態を示す通常モードに比べて前記画像形成部に供給される電力が小さい状態を示す省エネモードから、前記通常モードに復帰させる制御を行う制御ステップと、をコンピュータに実行させるためのプログラム。
【請求項８】
記録媒体上に画像を形成する画像形成部を有する画像形成装置と、情報処理装置とを備えた画像形成システムであって、
前記情報処理装置は、
ユーザが携帯する通信端末の位置を示す第１位置情報を取得する第１取得部と、
前記第１位置情報と、前記画像形成装置の位置を示す第２位置情報とから、１以上の前記画像形成装置のうち、前記ユーザが近づいている前記画像形成装置を特定する特定部と、
前記画像形成部が動作可能な状態を示す通常モードに比べて前記画像形成部に供給される電力が小さい状態を示す省エネモードから、前記通常モードへの復帰を指示する制御信号を、前記特定部により特定された前記画像形成装置に対して送信する制御を行う制御部と、を備え、
前記画像形成装置は、
前記情報処理装置から前記制御信号を受信する受信部と、
前記制御信号に従って、前記通常モードへ復帰する制御を行うモード設定部と、を備える、
画像形成システム。
【発明の詳細な説明】
【技術分野】
【０００１】
本発明は、情報処理装置、プログラムおよび画像形成システムに関する。
【背景技術】
【０００２】
近年、省エネ化に対する社会的なニーズに基づき、機器を極端な省エネモードに落とすことにより、消費電力を低く抑える製品が登場している。また、最近ではセキュリティ保護の観点から、ＰＣからプリンタ（機器）に対して印刷指示を発行しても、プリンタに備え付けられているＩＣカードリーダに、ユーザを識別する識別情報（個人情報）が書き込まれているＩＣカードをかざさないと、プリンタは印刷を開始しないし、省エネモードからも復帰しないという技術が知られている。この技術では、プリントアウトをするために、ユーザが一旦プリンタまで行ってＩＣカードをかざしたときに初めて省エネモードから復帰し、印刷が開示されるので、プリントアウトが完了するまでのユーザの待ち時間が長くなるという問題がある。
【０００３】
そこで、ユーザが、人感センサを搭載した機器に近づくと、機器は事前に省エネモードから復帰することで、ユーザが、省エネモードからの復帰を待つ時間を短縮する技術が知られている。例えば特許文献１には、赤外線センサによって人体が検知された場合、ＣＰＵが処理を開始するという技術が開示されている。
【発明の概要】
【発明が解決しようとする課題】
【０００４】
しかしながら、従来技術では、機器を利用するユーザ以外の者が機器に接近した場合でも、機器は省エネモードから復帰してしまうため、消費電力を低減できないという問題がある。
【０００５】
本発明は、上記に鑑みてなされたものであって、消費電力を低減可能な情報処理装置、プログラムおよび画像形成システムを提供することを目的とする。
【課題を解決するための手段】
【０００６】
上述した課題を解決し、目的を達成するために、本発明は、ユーザが携帯する通信端末の位置を示す第１位置情報を取得する第１取得部と、前記第１位置情報と、記録媒体上に画像を形成する画像形成部を有する画像形成装置の位置を示す第２位置情報とから、１以上の前記画像形成装置のうち、前記ユーザが近づいている前記画像形成装置を特定する特定部と、前記特定部により特定された前記画像形成装置に対して、前記画像形成部が動作可能な状態を示す通常モードに比べて前記画像形成部に供給される電力が小さい状態を示す省エネモードから、前記通常モードに復帰させる制御を行う制御部と、を備える情報処理装置である。
【０００７】
また、本発明は、ユーザが携帯する通信端末の位置を示す第１位置情報を取得する取得ステップと、前記第１位置情報と、記録媒体上に画像を形成する画像形成部を有する画像形成装置の位置を示す第２位置情報とから、１以上の前記画像形成装置のうち、前記ユーザが近づいている前記画像形成装置を特定する特定ステップと、前記特定ステップにより特定された前記画像形成装置に対して、前記画像形成部が動作可能な状態を示す通常モードに比べて前記画像形成部に供給される電力が小さい状態を示す省エネモードから、前記通常モードに復帰させる制御を行う制御ステップと、をコンピュータに実行させるためのプログラムである。
【０００８】
さらに、本発明は、記録媒体上に画像を形成する画像形成部を有する画像形成装置と、情報処理装置とを備えた画像形成システムであって、前記情報処理装置は、ユーザが携帯する通信端末の位置を示す第１位置情報を取得する第１取得部と、前記第１位置情報と、前記画像形成装置の位置を示す第２位置情報とから、１以上の前記画像形成装置のうち、前記ユーザが近づいている前記画像形成装置を特定する特定部と、前記画像形成部が動作可能な状態を示す通常モードに比べて前記画像形成部に供給される電力が小さい状態を示す省エネモードから、前記通常モードへの復帰を指示する制御信号を、前記特定部により特定された前記画像形成装置に対して送信する制御を行う制御部と、を備え、前記画像形成装置は、前記情報処理装置から前記制御信号を受信する受信部と、前記制御信号に従って、前記通常モードへ復帰する制御を行うモード設定部と、を備える。
【発明の効果】
【０００９】
本発明によれば、機器の消費電力を低減できるという有利な効果を奏する。
【図面の簡単な説明】
【００１０】
【図１】図１は、実施形態の画像形成システムの構成例を示す図である。
【図２】図２は、実施形態の近距離無線端末の機能構成例を示すブロック図である。
【図３】図３は、実施形態のサーバの機能構成例を示すブロック図である。
【図４】図４は、実施形態のプリンタの機能構成例を示すブロック図である。
【図５】図５は、変形例の画像形成システムの構成例を示す図である。
【発明を実施するための形態】
【００１１】
以下、添付図面を参照しながら、本発明に係る情報処理装置、プログラムおよび画像形成システムの実施形態を詳細に説明する。
【００１２】
図１は、本実施形態に係る画像形成システム１０の構成例を示す図である。図１に示すように、画像形成システム１０は、ＰＣ１と、サーバ２と、プリンタ３とを備え、これらはネットワーク４を介して接続されている。図１の例では、ネットワーク４はＬＡＮであり（以下の説明では、「ＬＡＮ４」と表記）、ＬＡＮ４には、ＰＣ１とサーバ２とプリンタ３とアクセスポイント５とが接続されている。図１の例では、画像形成システム１０に含まれるプリンタ３は１台のみであるが、これに限らず、画像形成システム１０に含まれるプリンタ３の数は任意である。
【００１３】
印刷を行う場合、ユーザは、ＰＣ１に対して印刷指示の入力を行う。印刷指示の入力を受け付けたＰＣ１は、ユーザを識別する第１識別情報と、印刷データとを含む印刷要求（印刷ジョブ）を生成し、生成した印刷要求を、ＬＡＮ４を介してサーバ２へ送信する。ここでは、ユーザがＰＣ１にログインするときには個人認証ＩＤを使ってログインするため、ＰＣ１は、この個人認証ＩＤを上述の第１識別情報として利用する。
【００１４】
また、本実施形態では、印刷指示の入力を行うユーザは、近距離無線端末６を携帯している。この例では、近距離無線端末６は、請求項の「通信端末」に対応する。図２は、近距離無線端末６の機能構成例を示すブロック図である。図２に示すように、近距離無線端末６は、設定情報生成部６１と、第１送信制御部６２と、ＮＦＣ通信部６３とを少なくとも備える。
【００１５】
設定情報生成部６１は、ユーザの入力に応じて、例えば集約設定や両面印刷設定などの印刷の設定内容を示す設定情報を生成する。
【００１６】
第１送信制御部６２は、定期的なサーバ２からの要求に応じて、現在の近距離無線端末６の位置（近距離無線端末６を携帯しているユーザの位置）を示す第１位置情報を、サーバ２へ送信する制御を行う。また、第１送信制御部６２は、設定情報生成部６１により生成された設定情報を、サーバ２へ送信する制御を行う。
【００１７】
ＮＦＣ通信部６３は、ＮＦＣ（Near  Field  Communication）と呼ばれる非接触ＩＣ用無線通信規格によりプリンタ３と非接触で通信するものであり、近距離無線端末６がプリンタ３側のＮＦＣ通信部の通信圏内に接近した場合に、プリンタ３側のＮＦＣ通信部との通信を確立し、近距離無線端末６のユーザを識別するＩＤ（以下の説明では、「第２識別情報」と呼ぶ）を送信する。具体的には、ＮＦＣ通信部６３は、タグと、通信の確立やデータの送受信を制御する通信制御プログラムとを内蔵したＮＦＣチップであり、このタグに上記第２識別情報などが記憶されている。このＮＦＣ通信部６３をプリンタ３に近接すると、通信が確立され、プリンタ３側のＮＦＣ通信部（リーダ／ライタ）によってタグ内の情報が読み取られることにより送信されるようになっている。
【００１８】
この例では、プリンタ３は、近距離無線端末６から読み取った第２識別情報をサーバ２へ送信する。サーバ２は、ＰＣ１から送信された印刷要求に含まれる第１識別情報により識別されるユーザと、プリンタ３から取得した第２識別情報により識別されるユーザとが一致するか否かを判断することで、ＰＣ１から印刷を指示したユーザと、プリンタ３に対して近距離無線端末６をかざしたユーザとが同一人物であるか否かを判断する。これによりユーザの認証が行われ、ＰＣ１から印刷を指示したユーザと、プリンタ３に対して近距離無線端末６をかざしたユーザとが同一人物であると判断された場合（ユーザが認証された場合）、印刷要求に含まれる印刷データに基づく印刷が開始される。
【００１９】
本実施形態では、近距離無線端末６には、ＣＰＵ、ＲＯＭ、ＲＡＭ等を備えたコンピュータが搭載され、ＣＰＵがＲＯＭ等に格納されたプログラムをＲＡＭ上に展開して実行することにより、上述の各部（設定情報生成部６１、第１送信制御部６２、ＮＦＣ通信部６３）の機能が実現されるが、これに限らず、例えば上述の各部の機能のうちの少なくとも一部が専用のハードウェア回路で実現される形態であってもよい。
【００２０】
なお、上述の近距離無線端末６が実行するプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、上述の近距離無線端末６が実行するプログラムを、インターネット等のネットワークに接続されたコンピュータ上に格納し、ネットワーク経由でダウンロードさせることにより提供するように構成してもよい。また、上述の近距離無線端末６が実行するプログラムをインターネット等のネットワーク経由で提供または配布するように構成してもよい。
【００２１】
図１に戻って説明を続ける。サーバ２は、近距離無線端末６を携帯しているユーザが近づいているプリンタ３を特定し、特定したプリンタ３に対して、省エネモードから通常モードへ復帰させる制御を行う。より具体的には以下のとおりである。なお、この例では、サーバ２は、請求項の「情報処理装置」に対応する。
【００２２】
図３は、サーバ２の機能構成例を示すブロック図である。図３に示すように、サーバ２は、第１取得部２１と、第２取得部２２と、特定部２３と、制御部２４と、第３取得部２５と、第４取得部２６と、指示部２７とを備える。
【００２３】
第１取得部２１は、上述の第１位置情報を取得する。より具体的には、第１取得部２１は、定期的に近距離無線端末６にアクセスし、近距離無線端末６に対して、第１位置情報の送信を要求する。そして、第１取得部２１は、その要求に対する応答として近距離無線端末６から送信される第１位置情報を取得する。なお、これに限らず、例えばサーバ２は、第１位置情報の算出に必要な情報を近距離無線端末から受信する機能と、その受信した情報に基づいて第１位置情報を算出する機能とを別に備え、第１取得部２１は、サーバ２内部の演算により算出された第１位置情報を取得する形態であってもよい。
【００２４】
第２取得部２２は、上述の設定情報を近距離無線端末６から取得する。
【００２５】
特定部２３は、第１取得部２１により取得された第１位置情報と、プリンタ３の位置を示す第２位置情報とから、１以上のプリンタ３のうち、近距離無線端末６を携帯したユーザが近づいているプリンタ３を特定する。本実施形態では、第２位置情報は、サーバ２内のメモリ（不図示）に予め登録されている。複数のプリンタ３が設けられている場合は、プリンタ３ごとに、当該プリンタ３の位置を示す第２位置情報が対応付けられて登録される。本実施形態では、特定部２３は、第１位置情報が示す位置と、第２位置情報が示す位置との間の距離が閾値以下となるプリンタ３を、近距離無線端末６を携帯したユーザが近づいているプリンタ３として特定する。また、これに限らず、近距離無線端末６を携帯したユーザが近づいているプリンタ３を特定する方法は任意である。
【００２６】
制御部２４は、特定部２３により特定されたプリンタ３に対して、省エネモードから通常モードに復帰させる制御を行う。プリンタ３は、用紙などの記録媒体上に画像を形成する画像形成部を備え、請求項の「画像形成装置」に対応する。ここでは、通常モードとは、画像形成部が動作可能となるよう（プリンタ３が印刷を実行できるよう）、プリンタ３の各部（画像形成部等）に電力が供給される状態を指し、省エネモードとは、通常モードに比べて画像形成部に供給される電力の値が小さい（例えば０でもよい）状態を指す。本実施形態では、制御部２４は、特定部２３により特定されたプリンタ３に対して、省エネモードから制御モードへの復帰を指示する制御信号を送信する制御を行う。
【００２７】
また、制御部２４は、特定部２３により特定されたプリンタ３に対して、第２取得部２２により取得された設定情報に従った設定を行なわせる。本実施形態では、制御部２４は、特定部２３により特定されたプリンタ３に対して、設定情報を送信する制御を行う。
【００２８】
なお、本実施形態では、特定部２３は、省エネモードから復帰済みのプリンタ３を、近距離無線端末６を携帯したユーザが近づいているプリンタ３として特定することはしない。つまり、特定部２３は、第１位置情報が示す位置と、第２位置情報が示す位置との間の距離が閾値以下となるプリンタ３であっても、そのプリンタ３が、印刷可能な状態で待機している場合や印刷実行中の場合は、そのプリンタ３を、近距離無線端末６を携帯したユーザが近づいているプリンタ３として特定することはしない。したがって、本実施形態では、省エネモードのプリンタ３だけが、特定部２３により特定されることになる。
【００２９】
第３取得部２５は、第１識別情報と、印刷データとを含む印刷要求（印刷ジョブ）を取得する。本実施形態では、第３取得部２５は、ＰＣ１から印刷要求を取得する。第３取得部２５により取得された印刷要求は、不図示の記憶部に蓄積される。第４取得部２６は、上述の第２識別情報をプリンタ３から取得する。
【００３０】
指示部２７は、第３取得部２５により取得された印刷要求に含まれる第１識別情報により識別されるユーザと、第４取得部２６により取得された第２識別情報により識別されるユーザとが一致すると判断した場合、つまり、ＰＣ１から印刷指示を行ったユーザと、プリンタ３に対して近距離無線端末６をかざしたユーザとが同一人物であると判断した場合（ユーザを認証した場合）、その第２識別情報の取得先のプリンタ３に対して、印刷要求に含まれる印刷データに基づく印刷の実行を指示する。具体的には、指示部２７は、その第２識別情報の取得先のプリンタ３に対して、印刷要求に含まれる印刷データに基づく印刷の実行を指示する指示信号を送信する。この指示信号は、印刷を指示するコマンド（命令）と、印刷データとを含む情報である。
【００３１】
本実施形態では、サーバ２には、ＣＰＵ、ＲＯＭ、ＲＡＭ等を備えたコンピュータが搭載され、ＣＰＵがＲＯＭ等に格納されたプログラムをＲＡＭ上に展開して実行することにより、上述の各部（第１取得部２１、第２取得部２２、特定部２３、制御部２４、第３取得部２５、第４取得部２６、指示部２７）の機能が実現されるが、これに限らず、例えば上述の各部の機能のうちの少なくとも一部が専用のハードウェア回路で実現される形態であってもよい。
【００３２】
なお、上述のサーバ２が実行するプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、上述のサーバ２が実行するプログラムを、インターネット等のネットワークに接続されたコンピュータ上に格納し、ネットワーク経由でダウンロードさせることにより提供するように構成してもよい。また、上述のサーバ２が実行するプログラムをインターネット等のネットワーク経由で提供または配布するように構成してもよい。
【００３３】
図１に戻って説明を続ける。プリンタ３は、用紙などの記録媒体上に画像を形成する画像形成部を有する。サーバ２から送信される印刷データに応じて、露光器から光ビームを照射して各トナーに応じたトナー像を感光体上に形成して、これを紙などの記録媒体に転写しこれを定着機によって所定の範囲内の温度での加熱及び加圧で定着させるための画像形成部の構成は周知であるため、ここではその詳細な説明を省略する。記録媒体は、紙に限られるものではなく、例えば合成紙、ビニール等であってもよい。図４は、プリンタ３の機能構成例を示すブロック図である。図４に示すように、プリンタ３は、受信部３１と、モード設定部３２と、印刷制御部３３と、ＮＦＣ通信部３４と、第２送信制御部３５とを備える。
【００３４】
受信部３１は、サーバ２からの各種の信号（または情報）を受信する。本実施形態では、受信部３１は、サーバ２からの制御信号、指示信号、設定情報を受信する。
【００３５】
モード設定部３２は、受信部３１で受信したサーバ２からの制御信号に従って、省エネモードから通常モードへ復帰する制御を行う。より具体的には、モード設定部３２は、プリンタ３が印刷を実行可能な状態（画像形成部が動作可能な状態）となるよう、プリンタ３の各部（画像形成部等）に供給される電源からの電力を制御する。また、通常モード時に、通常モードから省エネモードへの遷移条件が成立した場合、モード設定部３２は、プリンタ３の状態を省エネモードに設定する制御を行うこともできる。より具体的には、モード設定部３２は、画像形成部に供給される電力を、通常モードに比べて小さい値に制御する。通常モードから省エネモードへの遷移条件は任意であり、例えばユーザから省エネモードを選択（指定）する入力を受け付けたこと、一定時間印刷が行われなかったこと、などが挙げられる。
【００３６】
印刷制御部３３は、受信部３１で受信した指示信号に従って印刷を実行するよう、画像形成部を制御する。ＮＦＣ通信部３４は、ＮＦＣにより近距離無線端末６と非接触で通信するものであり、具体的には、近距離無線端末６のＮＦＣ通信部６３のタグに保持された第２識別情報を非接触で読み出す通信制御プログラムを内蔵したリーダ／ライタである。なお、近距離無線端末６とプリンタ３との間の無線通信規格はＮＦＣに限られるものではない。
【００３７】
第２送信制御部３５は、ＮＦＣ通信部３４により読み出された第２識別情報を、サーバ２へ送信する制御を行う。
【００３８】
本実施形態では、プリンタ３には、ＣＰＵ、ＲＯＭ、ＲＡＭ等を備えたコンピュータが搭載され、ＣＰＵがＲＯＭ等に格納されたプログラムをＲＡＭ上に展開して実行することにより、上述の各部（受信部３１、モード設定部３２、印刷制御部３３、ＮＦＣ通信部３４、第２送信制御部３５）の機能が実現されるが、これに限らず、例えば上述の各部の機能のうちの少なくとも一部が専用のハードウェア回路で実現される形態であってもよい。
【００３９】
なお、上述のプリンタ３が実行するプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、上述のプリンタ３が実行するプログラムを、インターネット等のネットワークに接続されたコンピュータ上に格納し、ネットワーク経由でダウンロードさせることにより提供するように構成してもよい。また、上述のプリンタ３が実行するプログラムをインターネット等のネットワーク経由で提供または配布するように構成してもよい。
【００４０】
以上より、本実施形態では、サーバ２は、近距離無線端末６を携帯したユーザの位置を常に把握して、そのユーザが近づいている省エネモードのプリンタ３を特定し、その特定したプリンタ３を省エネモードから通常モードへ復帰させるので、ユーザがそのプリンタ３を利用するときには省エネモードからの復帰を完了させることができ、ユーザの待ち時間を短縮できる。また、例えば近距離無線端末６を所持していない人間が省エネモードのプリンタ３に近づいても、そのプリンタ３が省エネモードから復帰することはない。すなわち、プリンタ３を利用するユーザ以外の者がプリンタ３に接近した場合に、プリンタ３が省エネモードから復帰してしまうことを防止できるので、従来に比べて消費電力を低減できる。
【００４１】
以上、本発明の実施形態を説明したが、上述の実施形態は、例として提示したものであり、発明の範囲を限定することは意図していない。本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００４２】
以下に、変形例を記載する。以下の変形例は互いに組み合わせることもできるし、上述の実施形態と任意に組み合わせることもできる。
【００４３】
（１）変形例１
図５は、変形例１の画像形成システム１００の構成例を示す図である。図５に示すように、ＬＡＮ４には、２台のプリンタ３が接続される形態であってもよい。この場合、例えば特定部２３は、２台のプリンタ３のうち、第１位置情報が示す位置と、第２位置情報が示す位置との間の距離が閾値以下となるプリンタ３を、近距離無線端末６を携帯したユーザが近づいているプリンタ３として特定する。
【００４４】
ここで、例えば２台のプリンタ３がそれぞれ異なる場所に設定されている場合は、特定部２３は、ユーザが近づいているプリンタ３として１台のプリンタ３を特定できるが、例えば同じ場所に複数台のプリンタ３が設定されている場合は、何れのプリンタ３も、第１位置情報と、そのプリンタ３の位置を示す第２位置情報との間の距離が閾値以下となる可能性がある。この場合、ユーザが近づいているプリンタ３として１台のプリンタ３を特定するのは困難であるため、特定部２３は、全てのプリンタ３（ただし、既に省エネモードから復帰済みのプリンタ３は除く）を、ユーザが近づいているプリンタ３として特定することもできる。この場合、制御部２４は、特定部２３により特定された全てのプリンタ３に対して、省エネモードから通常モードへ復帰させる制御を行う。
【００４５】
（２）変形例２
例えばサーバ２は、近距離無線端末６を識別する情報（以下、「第３識別情報」と呼ぶ）と、近距離無線端末６を使用するユーザを識別する情報（以下、「第４識別情報」と呼ぶ）とを予め対応付けて記憶する記憶部を備えていてもよい。この記憶部は、第３取得部２５により取得された印刷要求（印刷ジョブ）が蓄積される記憶部とは別の装置であってもよいし、同一の装置であってもよい。説明の便宜上、第３取得部２５により取得された印刷要求（印刷ジョブ）が蓄積される記憶部を第１記憶部と呼び、第３識別情報と第４識別情報とを予め対応付けて記憶する記憶部を第２記憶部と呼ぶ。サーバ２は、第２記憶部に予め登録された１以上の第４識別情報により識別されるユーザの中に、第１記憶部に蓄積された印刷要求に含まれる第１識別情報により識別されるユーザと一致するユーザが存在するか否かを判断する機能（以下、この機能を「判断部」と呼ぶ）と、第２記憶部に予め登録された１以上の第４識別情報により識別されるユーザのうち、第１記憶部に蓄積された印刷要求に含まれる第１識別情報により識別されるユーザと一致すると判断されたユーザを識別する第４識別情報に対応する第３識別情報により識別される近距離無線端末６を、監視対象として特定する機能（以下、この機能を「第２特定部」と呼ぶ）と、を有することもできる。
【００４６】
この場合、第１取得部２１は、第２特定部により特定された近距離無線端末６の位置を示す第１位置情報を取得する。特定部２３は、第１取得部２１により取得された第１位置情報と、プリンタ３の位置を示す第２位置情報とから、１以上のプリンタ３のうち、第２特定部により特定された近距離無線端末６を携帯しているユーザが近づいているプリンタ３を特定する。そして、制御部２４は、特定部２３により特定されたプリンタ３に対して、省エネモードから通常モードに復帰させる制御を行う。この形態によれば、上記第３識別情報が相違する複数の近距離無線端末６と１対１に対応する複数のユーザが存在する場合であっても、ＰＣ１から印刷指示を行ったユーザが、どのプリンタ３に近づいているのかを正確に判断することができる。言い換えれば、近距離無線端末６を所持しているもののＰＣ１から印刷指示を行っていないユーザが、省エネモードのプリンタ３に接近した場合であっても、そのプリンタ３が省エネモードから復帰してしまうことを防止できる。したがって、消費電力を低減できる。
【符号の説明】
【００４７】
２  サーバ
３  プリンタ
４  ネットワーク
５  アクセスポイント
６  近距離無線端末
１０  画像形成システム
２１  第１取得部
２２  第２取得部
２３  特定部
２４  制御部
２５  第３取得部
２６  第４取得部
２７  指示部
３１  受信部
３２  モード設定部
３３  印刷制御部
３４  ＮＦＣ通信部
３５  第２送信制御部
６１  設定情報生成部
６２  第１送信制御部
６３  ＮＦＣ通信部
１００  画像形成システム
【先行技術文献】
【特許文献】
【００４８】
【特許文献１】特開２０１１−１９７２２２号公報
【図１】
2014067218.tif 000003
【図２】
2014067218.tif 000004
【図３】
2014067218.tif 000005
【図４】
2014067218.tif 000006
【図５】
2014067218.tif 000007